(57)【要約】【課題】案内経路から外れた場合に、正確なマップマッチングを行えるようにする。【解決手段】案内経路上でのユーザの位置を推定する情報処理装置であって、センサにより検知されたユーザの動きの情報に基づいて特定された、ユーザの移動距離および移動方向を含む測位情報を取得する測位情報取得部と、測位情報に基づいて、案内経路上のユーザの推定位置を特定するルートマッチングを行い、ルートマッチングが失敗したと判断された場合には、測位情報に基づいて道路ネットワーク上の任意の位置に推定位置を特定するマップマッチングを行う位置推定部とを備え、位置推定部は、ルートマッチングが失敗したと判断された場合には、最後にルートマッチングに成功した時の推定位置から一定距離以内にある案内経路上の分岐点を検出し、測位情報に含まれる移動距離および移動方向の情報に基づいて、分岐点を用いてマップマッチングを行う。【選択図】図２
2018059814.tif 000002
【特許請求の範囲】
【請求項１】
案内経路上でのユーザの位置を推定する情報処理装置であって、
センサにより検知された前記ユーザの動きの情報に基づいて特定された、前記ユーザの移動距離および移動方向を含む測位情報を取得する測位情報取得部と、
前記測位情報に基づいて、前記案内経路上の前記ユーザの推定位置を特定するルートマッチングを行い、前記ルートマッチングが失敗したと判断された場合には、前記測位情報に基づいて道路ネットワーク上の任意の位置に推定位置を特定するマップマッチングを行う位置推定部と、を備え、
前記位置推定部は、
前記ルートマッチングが失敗したと判断された場合には、最後にルートマッチングに成功した時の推定位置から一定距離以内にある前記案内経路上の分岐点を検出し、前記測位情報に含まれる移動距離および移動方向の情報に基づいて、前記分岐点を用いて前記マップマッチングを行う、情報処理装置。
【請求項２】
前記位置推定部は、
前記最後にルートマッチングに成功した時の推定位置から一定距離以内にある分岐点が検出されない場合には、前記最後にルートマッチングに成功した時の推定位置を用いて前記マップマッチングを行う、請求項１に記載の情報処理装置。
【請求項３】
前記位置推定部は、
前記最後にルートマッチングに成功した時の推定位置から一定距離以内にあり、かつ、  前記測位情報に含まれる移動方向との差分が一定角度以下の方角に前記案内経路から分岐している分岐点を用いて前記マップマッチングを行う、請求項１または２に記載の情報処理装置。
【請求項４】
前記位置推定部は、
前記測位情報に含まれる前記移動方向の情報に基づいて、前記ユーザが前記案内経路の進行方向とは異なる方向に進んだと判断された場合には、前記ルートマッチングが失敗したと判断する、請求項１から３のいずれか１項に記載の情報処理装置。
【請求項５】
案内経路上でのユーザの位置を推定する情報処理方法であって、
センサにより検知された前記ユーザの動きの情報に基づいて特定された、前記ユーザの移動距離および移動方向を含む測位情報を取得する工程と、
前記測位情報に基づいて、前記案内経路上の前記ユーザの推定位置を特定するルートマッチングを行う工程と、
前記ルートマッチングが失敗したと判断された場合には、前記測位情報に基づいて道路ネットワーク上の任意の位置に推定位置を特定するマップマッチングを行う工程と、を含み、
前記マップマッチングを行う工程では、最後にルートマッチングに成功した時の推定位置から一定距離以内にある前記案内経路上の分岐点を検出し、前記測位情報に含まれる移動距離および移動方向の情報に基づいて、前記分岐点を用いて前記マップマッチングを行う、情報処理方法。
【請求項６】
案内経路上でのユーザの位置を推定するコンピュータを、
センサにより検知された前記ユーザの動きの情報に基づいて特定された、前記ユーザの移動距離および移動方向を含む測位情報を取得する測位情報取得部と、
前記測位情報に基づいて、前記案内経路上の前記ユーザの推定位置を特定するルートマッチングを行い、前記ルートマッチングが失敗したと判断された場合には、前記測位情報に基づいて道路ネットワーク上の任意の位置に推定位置を特定するマップマッチングを行う位置推定部と、して機能させ、
前記位置推定部は、
前記ルートマッチングが失敗したと判断された場合には、最後にルートマッチングに成功した時の推定位置から一定距離以内にある前記案内経路上の分岐点を検出し、前記測位情報に含まれる移動距離および移動方向の情報に基づいて、前記分岐点を用いて前記マップマッチングを行う、プログラム。
【発明の詳細な説明】
【技術分野】
【０００１】
本発明は、情報処理装置、情報処理方法及びプログラムに関する。
【背景技術】
【０００２】
近年、ＧＰＳ（Ｇｌｏｂａｌ Ｐｏｓｉｔｉｏｎｉｎｇ Ｓｙｓｔｅｍ）や自律航法等による測位機能を有する携帯端末が普及している。自律航法による測位機能は、各種のセンサ（例えば、地磁気センサ、ジャイロセンサ、加速度センサ）を用いて、地下や屋内など、ＧＰＳによる測位ができない場所における位置を測位することが可能である。
【０００３】
携帯端末の測位機能には、自律航法による測位結果に基づいて案内経路上にユーザの推定位置を特定するルートマッチング処理と、自律航法による測位結果に基づいて任意の道路ネットワーク上の地点にユーザの推定位置を特定するマップマッチング処理が含まれる。
【０００４】
特許文献１には、ナビゲーションシステムにおいて、端末側ではルートマッチングのみを行い、現在位置が案内経路から外れたと判定された場合には、現在位置情報をサーバへ送信し、サーバ側でマップマッチングを行って端末の正確な位置特定を行うことが記載されている。
【先行技術文献】
【特許文献】
【０００５】
【特許文献１】特開２０１１−４７８８６号公報
【発明の概要】
【発明が解決しようとする課題】
【０００６】
ルートマッチングの結果、推定位置を案内経路上に特定できなかった場合、すなわちルートマッチングが失敗した場合には、マップマッチングに切り替えて推定位置の特定を行う。その際、特許文献１のような従来のシステムでは、前回のルートマッチングによる推定位置を基準としてマップマッチングを実行するが、その方法では、前回のルートマッチングによる推定位置自体に誤差が生じている場合、正確なマップマッチングを行えないという問題があった。
【０００７】
そこで、本発明の目的は、案内経路から外れた場合に、正確なマップマッチングを行えるようにすることである。
【課題を解決するための手段】
【０００８】
本発明に係る情報処理装置は、案内経路上でのユーザの位置を推定する情報処理装置であって、センサにより検知された前記ユーザの動きの情報に基づいて特定された、前記ユーザの移動距離および移動方向を含む測位情報を取得する測位情報取得部と、前記測位情報に基づいて、前記案内経路上の前記ユーザの推定位置を特定するルートマッチングを行い、前記ルートマッチングが失敗したと判断された場合には、前記測位情報に基づいて道路ネットワーク上の任意の位置に推定位置を特定するマップマッチングを行う位置推定部と、を備え、前記位置推定部は、前記ルートマッチングが失敗したと判断された場合には、最後にルートマッチングに成功した時の推定位置から一定距離以内にある前記案内経路上の分岐点を検出し、前記測位情報に含まれる移動距離および移動方向の情報に基づいて、前記分岐点を用いて前記マップマッチングを行うものである。
【０００９】
本発明に係る情報処理方法は、案内経路上でのユーザの位置を推定する情報処理方法であって、センサにより検知された前記ユーザの動きの情報に基づいて特定された、前記ユーザの移動距離および移動方向を含む測位情報を取得する工程と、前記測位情報に基づいて、前記案内経路上の前記ユーザの推定位置を特定するルートマッチングを行う工程と、前記ルートマッチングが失敗したと判断された場合には、前記測位情報に基づいて道路ネットワーク上の任意の位置に推定位置を特定するマップマッチングを行う工程と、を含み、前記マップマッチングを行う工程では、最後にルートマッチングに成功した時の推定位置から一定距離以内にある前記案内経路上の分岐点を検出し、前記測位情報に含まれる移動距離および移動方向の情報に基づいて、前記分岐点を用いて前記マップマッチングを行うものである。
【００１０】
本発明に係るプログラムは、案内経路上でのユーザの位置を推定するコンピュータを、センサにより検知された前記ユーザの動きの情報に基づいて特定された、前記ユーザの移動距離および移動方向を含む測位情報を取得する測位情報取得部と、前記測位情報に基づいて、前記案内経路上の前記ユーザの推定位置を特定するルートマッチングを行い、前記ルートマッチングが失敗したと判断された場合には、前記測位情報に基づいて道路ネットワーク上の任意の位置に推定位置を特定するマップマッチングを行う位置推定部と、して機能させ、前記位置推定部は、前記ルートマッチングが失敗したと判断された場合には、最後にルートマッチングに成功した時の推定位置から一定距離以内にある前記案内経路上の分岐点を検出し、前記測位情報に含まれる移動距離および移動方向の情報に基づいて、前記分岐点を用いて前記マップマッチングを行うものである。
【発明の効果】
【００１１】
本発明によれば、案内経路から外れた場合に、正確なマップマッチングを行うことができる。
【図面の簡単な説明】
【００１２】
【図１】本発明の実施の形態による、携帯端末１０のハードウェア構成を示すブロック図。
【図２】本発明の実施の形態による、携帯端末１０の機能構成を示すブロック図。
【図３】本発明の実施の形態による、携帯端末１０において実行される経路案内処理のフローチャート。
【図４】本発明の実施の形態による、携帯端末１０の推定位置の特定方法を説明する図である。
【発明を実施するための形態】
【００１３】
次に、本発明を実施するための形態について、図面を参照して詳細に説明する。
実施の形態
【００１４】
以下、本発明の実施形態について、図面を参照しつつ詳細に説明する。ただし、発明の範囲をこれらに限定するものではない。
【００１５】
図１は、本発明の実施の形態による携帯端末（情報処理装置）１０のハードウェア構成を示すブロック図である。携帯端末１０は、携帯電話機（スマートフォンを含む）、タブレット端末、ＰＤＡ（Ｐｅｒｓｏｎａｌ  Ｄｉｇｉｔａｌ  Ａｓｓｉｓｔａｎｔｓ）、ナビゲーション専用端末、パーソナルコンピュータなどである。図１に示すように、携帯端末１０は、制御部１１、通信部１２、記憶部１３、操作部１４、表示部１５、センサ１６及びスピーカ１７を備えている。制御部１１は、ＣＰＵ（Ｃｅｎｔｒａｌ  Ｐｒｏｃｅｓｓｉｎｇ  Ｕｎｉｔ）１１ａ及びメモリ１１ｂを備えている。
【００１６】
制御部１１では、ＣＰＵ１１ａは、記憶部１３等に記憶されたプログラムをメモリ１１ｂに展開して実行することにより、携帯端末１０が備える各種構成の動作を制御し、また、各種処理の実行を制御する。制御部１１において実行される処理の詳細は後述する。
【００１７】
通信部１２は、外部装置と通信するための通信インタフェースである。通信部１２は、例えば、外部装置からデータやコマンドを受信したり、携帯端末１０による処理結果を外部へ送信する。
【００１８】
記憶部１３は、不揮発性の記憶装置であり、例えば、半導体メモリ等により構成される。記憶部１３は、制御部１１における処理の実行に必要な各種プログラムや各種の情報を記憶する。
【００１９】
操作部１４は、携帯端末１０のユーザの指示を受け付け、制御部１１へ出力するためのユーザインタフェースである。操作部１４は、例えば、操作キー、及びタッチパネルなどにより構成される。
【００２０】
表示部１５は、携帯端末１０による処理結果を表示するためのユーザインタフェースである。表示部１５は、液晶、又はＬＥＤ（Ｌｉｇｈｔ Ｅｍｉｔｔｉｎｇ Ｄｉｏｄｅ）などを用いた表示装置により構成される。
【００２１】
センサ１６は、各種のセンサにより構成される。センサ１６は、例えば、ジャイロセンサ、加速度センサ、地磁気センサ、及び気圧センサ等を含むことができる。センサ１６は、携帯端末１０を携帯するユーザの各種の動作を検知することができる。
【００２２】
スピーカ１７は、制御部１１による処理制御に応じて、音声、音楽及び効果音など、各種の音を出力する。
【００２３】
なお、本実施形態では、単一の情報処理装置により携帯端末１０を構成しているが、これに限定せず、相互に通信可能な複数の情報処理装置により、携帯端末１０が有する構成及び機能を実現してもよい。
【００２４】
図２は、携帯端末１０の機能構成を示すブロック図である。携帯端末１０は、機能構成として、データベース１１０、経路案内部１１１、信号測位部１１２、自律航法測位部１１３、測位情報取得部１１４、位置推定部１１５、表示制御部１１６を備える。データベース１１０は、記憶部１３によって実装される。また、経路案内部１１１、信号測位部１１２、自律航法測位部１１３、測位情報取得部１１４、位置推定部１１５、および表示制御部１１６の機能は、制御部１１において、ＣＰＵ１１ａが、記憶部１３等に記憶されたプログラムをメモリ１１ｂに展開して実行することにより実現される。以下に、携帯端末１０が備える各機能構成の詳細を説明する。
【００２５】
データベース１１０は、携帯端末１０において実行される処理に必要な情報、及び当該処理により生成された情報など、各種情報を記憶する。
【００２６】
経路案内部１１１は、入力された経路探索条件に従った出発地から目的地までの案内経路の情報を取得し、表示部１５を介して当該案内経路を提示すること等により、ユーザに対して経路案内を行う。本実施形態において、案内経路には、道路、広場、並びに屋内及び地下の廊下などに設定される、ユーザが移動可能なあらゆる経路が含まれる。
【００２７】
案内経路の探索に関し、経路案内部１１１は、例えば、ユーザにより入力された経路探索条件に従って、データベース１１０に記憶された（または通信部１２を介して外部装置から取得した）地図データ等を参照し、経路探索を実行することにより、案内経路の情報を取得する。もしくは、入力された経路探索条件に従った経路探索の処理を外部装置により行い、経路案内部１１１は、当該経路探索の処理結果を取得することとしてもよい。経路探索の手法としてはラベル確定法やダイクストラ法など、任意の手法を利用することができる。なお、最適な経路とは、出発地点から目的地点までのコスト情報が最小であることをいう。リンクのコスト情報は、距離、所要時間、料金、その他のパラメータ、及び各種パラメータを任意に組み合わせたもの等、目的に応じて設定可能である。
【００２８】
また、経路案内部１１１は、経路案内のために、表示部１５を介した経路の提示と共に、後述する処理により特定されたユーザの現在地の情報の表示及びスピーカ１７を介した音声案内の出力を行うこともできる。
【００２９】
信号測位部１１２は、ＧＰＳ受信機（図示せず）により受信したＧＰＳ衛星信号に基づいて、携帯端末１０（又は携帯端末１０のユーザ）の現在位置を測位し、測位した位置の情報（例えば、緯度及び経度の情報）を測位時間の情報と共に出力する。また、信号測位部１１２は、携帯端末１０の近くに設置されたアクセスポイントから受信した信号に応じて、携帯端末１０の現在位置を測位することができる。また、携帯端末１０は、ＲＦＩＤ（Ｒａｄｉｏ Ｆｒｅｑｕｅｎｃｙ Ｉｄｅｎｔｉｆｉｅｒ）やＢｌｕｅｔｏｏｔｈ（登録商標）等の無線信号の発信装置の信号を受信し、当該受信した信号に応じて、携帯端末１０の現在位置を測位することもできる。信号測位部１１２は、任意のタイミング及び時間間隔（例えば、１秒毎）で測位の処理を行う。以下、本実施形態において、このようにＧＰＳ衛星信号、アクセスポイントからの信号、及びＲＦＩＤの無線信号など、外部装置から受信した信号に応じて実施される測位処理を信号測位と称する。
【００３０】
自律航法測位部１１３は、センサ１６により検知された携帯端末１０のユーザの動きの情報に基づいて、携帯端末１０（又は携帯端末１０のユーザ）の移動距離や移動方向、位置情報（緯度及び経度の情報）を自律航法により測定し、測位情報として測位時間の情報と共に出力する。自律航法測位部１１３は、任意のタイミング及び時間間隔（例えば、１秒毎）で測位の処理を行う。自律航法測位部１１３による測位は、センサ１６等を用いた任意の自律航法技術を採用することができる。
【００３１】
測位を行うために、自律航法測位部１１３は、例えば、センサ１６により検知されたユーザの動きによりユーザの歩行移動時における基準位置（前回の測位時点で特定された測位位置）からの移動の歩数及び移動方向を特定し、特定された歩数及び移動方向に基づいて、基準位置からの相対的な移動距離及び移動方向の情報を算出する。当該相対的な移動距離は、例えば、人の歩行時の標準的な歩幅（若しくは予め測定された携帯端末１０のユーザの歩幅）（例えば、６５ｃｍ）に対して、上記特定された歩数を乗じることによって算出される。移動方向の情報は、前回の測位時点からの相対的な移動方向（角度）の変位を示している。
【００３２】
自律航法測位部１１３は、基準位置からの当該算出された移動距離及び移動方向の情報に基づいて携帯端末１０の現在位置を測位する。なお、信号測位部１１２の測位処理により基準位置を取得することにより、より正確な現在位置を特定するようにしてもよい。
【００３３】
また、自律航法測位部１１３は、センサ１６（気圧センサ）によって計測された時間経過に伴う気圧値の変化量に基づいて、エスカレータ、エレベータ、または階段等の利用による昇降移動の有無を判断する。昇降移動の有無の判断は、気圧センサを用いた自律航法技術を採用することができる。例えば、自律航法測位部１１３は、各々の測位時点の間に気圧値の上昇または下降が検知された場合には、昇降移動が検出されたことを示す測位情報を出力する。
【００３４】
自律航法測位部１１３は、上記のようにして特定した携帯端末１０の測位情報を任意のタイミング及び時間間隔（例えば、１秒毎）で出力する。測位情報には、前回の測位時点からの相対的な移動距離及び移動方向の情報、前回の測位時点からの歩数の情報、現在位置の情報（緯度及び経度の情報）、昇降移動の検出の有無の情報等が含まれる。
【００３５】
なお、自律航法測位部１１３による測位は、携帯端末１０がＧＰＳ信号やアクセスポイントからの信号を受信できないとき（例えば、携帯端末１０を携帯するユーザが屋内や地下にいるとき）に有効である。もしくは、携帯端末１０が上記信号を受信できるが信号測位部１１２による測位精度が低いと考えられるとき（例えば、携帯端末１０を携帯するユーザが屋外の高層ビルに囲まれた場所にいるとき）にも自律航法測位部１１３による測位は有効である。そのため、携帯端末１０は、例えば、ＧＰＳ信号やアクセスポイントからの信号の受信状況に応じて、信号測位部１１２及び自律航法測位部１１３のどちらにより測位を行うかを切り替えることができる。
【００３６】
測位情報取得部１１４は、自律航法測位部１１３から測位情報が出力される毎に測位情報を受信し、位置推定部１１５に供給する。
【００３７】
位置推定部１１５は、測位情報に基づいて、案内経路上に携帯端末１０の推定位置（又は携帯端末１０のユーザの推定位置）を特定するルートマッチングを行う。具体的には、位置推定部１１５は、前回の推定位置（初回の場合は起点位置）から案内経路に沿って、目的地の方向に所定の距離だけ進めた位置を携帯端末１０の推定位置として特定する。ここでの所定の距離は、自律航法測位部１１３によって出力される測位情報に基づいて決定される。例えば、測位情報に含まれる移動距離を所定の距離として用いてもよい。また、測位情報に含まれる歩数に予め設定された歩幅を乗じた値を所定の距離としてもよい。
【００３８】
また、位置推定部１１５は、ルートマッチングが失敗した場合にはマップマッチングを行う。ルートマッチングが失敗した場合とは携帯端末１０が案内経路から外れた（オフルート）と判断された場合である。例えば、測位情報に含まれる移動方向の情報に基づいて、携帯端末１０が案内経路の進行方向とは異なる方向に進んだと判断された場合に案内経路から外れたと判断される。具体的には、測位情報に含まれる移動方向または所定回数分の測位情報に含まれる移動方向の累積値が、案内経路の進行方向と一定角度以上異なる場合に、案内経路の進行方向とは異なる方向に進んだと判断することができる。
【００３９】
また、ルートマッチングが失敗したと判断される他の例として、測位情報に含まれる緯度・経度情報が示す携帯端末１０の現在位置が案内経路上から外れており、携帯端末１０の現在位置と案内経路との最短距離（携帯端末１０の現在位置から案内経路に下した垂線の長さ）が一定値以上の場合には、案内経路から外れたと判断するようにしてもよい。
【００４０】
マップマッチングでは、ルートマッチングのように、測位情報に基づいて案内経路上に推定位置を特定するのではなく、測位情報に基づいて、案内経路上であるか否かに関わらず地図データに登録されている道路ネットワーク上の任意の位置に推定位置を特定する。
【００４１】
本実施形態では、位置推定部１１５は、ルートマッチングに失敗したら、まず、マップマッチングの基準となる案内経路上の分岐点を検出する。分岐点は、案内経路上から案内経路外の道路ネットワークに入ることができる曲がり角等である。位置推定部１１５は、まず、最後にルートマッチングに成功した時の推定位置から最も近い案内経路上の分岐点を検出し、検出した分岐点が、所定の条件を満たすか否かを判定する。所定の条件とは、例えば、最後にルートマッチングに成功した時の推定位置から一定距離以内（例えば、１０ｍ以内、１５ｍ以内、２０ｍ以内等）にあるか否かである。分岐点が条件を満たす場合には、その分岐点を基準としてマップマッチングを行う。位置推定部１１５は、検出した分岐点から、測位情報に含まれる移動方向に、測位情報に含まれる移動距離だけ進めた位置を仮の推定位置として特定し、さらに、仮の推定位置を地図データに登録されている道路ネットワーク上に引き込むことでマップマッチングによる推定位置を特定する。なお、仮の推定位置を道路ネットワーク上に引き込むことができない場合には、道路ネットワークから外れた地点に推定位置を特定してもよい。
【００４２】
また、位置推定部１１５は、まず、最後にルートマッチングに成功した時の推定位置から一定距離以内にある１つ以上の分岐点を検出するようにしてもよい。さらに、このような条件を満たす分岐点が複数検出された場合には、位置推定部１１５は、測位情報に含まれる移動方向との差分が一定値以下（例えば、５度以下、１０度以下、１５度以下等）の方角に案内経路から分岐している分岐点であることをさらなる条件として追加するようにしてもよい。あるいは、案内経路からの分岐の方角が、測位情報に含まれる移動方向に最も近い分岐点を選ぶようにしてもよい。なお、分岐点は、最後にルートマッチングに成功した時の推定位置よりも先の方にあってもよいし、手前にあってもよい。また、推定位置の手前と先の両方に分岐点がある場合には、手前にある分岐点を優先的に選択するようにしてもよい。一般に、ユーザ（歩行者）が案内経路から外れて移動する場合、案内経路に沿って移動するよりも移動距離が長くなることが予想されるため、ルートマッチングによる推定位置は、ユーザの実際の位置よりも先の方に特定されることが想定される。このため、分岐点が推定位置の手前と先の両方にある場合には、あえて手前の分岐点を優先的に選択するようにしてもよい。
【００４３】
なお、特定した分岐点が所定の条件を満たさない場合には、最後にルートマッチングに成功した時の推定位置を基準としてマップマッチングを行う。すなわち、最後にルートマッチングに成功した時の推定位置から、測位情報に含まれる移動方向に、測位情報に含まれる移動距離だけ進めた位置を仮の推定位置として特定し、さらに、仮の推定位置を地図データに登録されている道路ネットワーク上に引き込むことでマップマッチングによる推定位置を特定する。
【００４４】
位置推定部１１５は、ルートマッチングが成功した場合には、推定位置をオンルートの結果として表示制御部１１６に表示させる。一方、ルートマッチングが失敗し、マップマッチングによって推定位置を特定した場合には、推定位置をオフルートの結果として表示制御部１１６に表示させる。
【００４５】
なお、案内経路上の起点位置としては、携帯端末１０のユーザが移動を開始した案内経路上の位置が設定される。また、起点位置の情報は、実際にユーザが移動を開始した位置の情報としてなるべく信頼性の高い情報が設定されることが望ましい。例えば、信号測位部１１２による測位の精度が高いとき（例えば、受信したＧＰＳ信号の強度が強いとき）には、信号測位部１１２が測位した携帯端末１０の位置を起点位置として設定することができる。
【００４６】
また、位置推定部１１５は、信号測位部１１２による測位の精度が高いとき（例えば、受信したＧＰＳ信号の強度が強いとき）には、信号測位部１１２が測位した携帯端末１０の位置を携帯端末１０の推定位置として特定することもできる。
【００４７】
表示制御部１１６は、表示部１５に対する各種情報及び画像の表示の制御を行う。例えば、表示制御部１１６は、位置推定部１１５により特定された案内経路上のユーザの推定位置を表示部１５に表示するように制御する。
【００４８】
（経路案内処理）
次に、携帯端末１０において実行される経路案内処理について図３のフローチャートを用いて説明する。
【００４９】
まず、ステップＳ１１において、経路案内部１１１は、携帯端末１０のユーザにより入力された経路探索条件に従って、データベース１１０に記憶された地図データ等を参照し、経路探索を実行することにより、出発地から目的地までの案内経路の情報を取得する。
【００５０】
次に、ステップＳ１２において、位置推定部１１５は、ステップＳ１１で探索された案内経路上における携帯端末１０の起点位置を設定する。
【００５１】
次に、ステップＳ１３において、自律航法測位部１１３は、センサ１６により検知された携帯端末１０のユーザの歩数等の情報に基づいて、携帯端末１０の移動距離及び移動方向の測位等を行う。
【００５２】
次に、ステップＳ１４において、自律航法測位部１１３は、携帯端末１０の移動距離及び移動方向の情報、現在位置の情報（緯度及び経度の情報）、昇降移動の有無の情報等を含む測位情報を測位情報取得部１１４に出力する。
【００５３】
次に、ステップＳ１５において、位置推定部１１５は、自律航法測位部１１３によって出力された測位情報を測位情報取得部１１４から取得し、前回の推定位置（初回の場合は起点位置）から案内経路に沿って、自律航法測位部１１３によって出力された携帯端末１０の移動距離だけ進めた位置を携帯端末１０の推定位置として特定する（ルートマッチング）。
【００５４】
次にステップＳ１６において、位置推定部１１５は、ステップＳ１５で実行したルートマッチングが成功したか否かを判定する。判定の結果、成功したと判定された場合（ＹＥＳ）には、ステップＳ２２に移行する。一方、失敗したと判定された場合（ＮＯ）には、ステップＳ１７に移行する。
【００５５】
ステップＳ１７において、位置推定部１１５は、最後にルートマッチングに成功した時の推定位置から案内経路上で最も近い分岐点を検索する。
【００５６】
ステップＳ１８において、位置推定部１１５は、ステップＳ１７で検出した分岐点が最後にルートマッチングに成功した時の推定位置から一定距離以内の位置にあるか否かを地図データ等の情報に基づいて判定する。判定の結果、所定の距離以内にあると判断された場合（ＹＥＳ）には、ステップＳ１９に進む。一方、判定の結果、所定の距離以内には無いと判断された場合（ＮＯ）には、ステップＳ２０に進む。
【００５７】
ステップＳ１９において、位置推定部１１５は、ステップＳ１７で検出した分岐点を基準としてマップマッチングを行う。すなわち、位置推定部１１５は、検出した分岐点から、測位情報に含まれる移動方向に、測位情報に含まれる移動距離だけ進めた位置を仮の推定位置として特定し、さらに、仮の推定位置を地図データに登録されている道路ネットワーク上に引き込むことでマップマッチングによる推定位置を特定する。
【００５８】
ステップＳ２０において、位置推定部１１５は、最後にルートマッチングに成功した時の推定位置を基準としてマップマッチングを行う。すなわち、位置推定部１１５は、最後にルートマッチングに成功した時の推定位置から、測位情報に含まれる移動方向に、測位情報に含まれる移動距離だけ進めた位置を仮の推定位置として特定し、さらに、仮の推定位置を地図データに登録されている道路ネットワーク上に引き込むことでマップマッチングによる推定位置を特定する。
【００５９】
ステップＳ２１において、位置推定部１１５は、ステップＳ１９またはステップＳ２０で実行したマップマッチングによる携帯端末１０の推定位置をマップマッチングの結果（オフルート）として表示制御部１１６に表示させる。
【００６０】
ステップＳ２２において、位置推定部１１５は、ステップＳ１５で実行したルートマッチングによる携帯端末１０の推定位置をルートマッチングの結果（オンルート）として表示制御部１１６に表示させる。
【００６１】
次に、ステップＳ２３において、経路案内部１１１は、携帯端末１０の推定位置が案内経路の目的地に到達しているか否かを判定し、到達していない場合（ＮＯ）にはステップＳ１３に移行する。一方、目的地に到達している場合（ＹＥＳ）には処理を終了する。
【００６２】
図４は、本実施形態による携帯端末１０の推定位置の特定方法を説明する図である。図中、線（Ｕ）はユーザの動きを示しており、Ｒ１、Ｒ２、Ｒ３は、それぞれ時刻ｔ１、ｔ２、ｔ３におけるユーザの実際の位置を示している。また、Ｘ１、Ｘ２、Ｘ３は、時刻ｔ１、ｔ２、ｔ３において位置推定部１１５が特定したユーザの推定位置を示している。推定位置が「●」で示されている場合は、ルートマッチングの結果（オンルート）であることを示し、「◆」で示されている場合は、マップマッチングの結果（オフルート）であることを示す。
【００６３】
図４に示すように、時刻ｔ１では、ユーザは案内経路Ｒに沿って進んでおり、測位情報に基づいて行ったルートマッチングが成功したため、位置推定部１１５によって推定位置Ｘ１（オンルート）が特定される。
【００６４】
時刻ｔ２においては、ユーザは案内経路Ｒにほぼ沿って進んでいる。この時点では、測位情報に含まれる移動方向の累積値が案内経路Ｒの進行方向と大きく違わないため、測位情報に基づくルートマッチングは成功し、位置推定部１１５によって推定位置Ｘ２（オンルート）が特定される。しかし、図に示すように、この時点でユーザの実際の位置Ｒ２と推定位置Ｘ２にはずれが生じている。
【００６５】
さらに、時刻ｔ３においては、ユーザの実際の位置Ｒ３は案内経路Ｒに沿った道路Ｗ１から外れて道路Ｗ２に入ってしまっている。この時点では、測位情報に含まれる移動方向の累積値は案内経路Ｒの進行方向とは大きくずれているため、ルートマッチングは失敗と判断される。この時、位置推定部１１５は、前回のルートマッチングによる推定位置Ｘ２に最も近い分岐点Ｃ１を検出し、分岐点Ｃ１を基準としてまず仮の推定位置Ｘ３'を設定する。さらに、仮の推定位置Ｘ３'を道路Ｗ２に引き込む処理を行い、マップマッチングによる推定位置Ｘ３（オフルート）を特定する。
【００６６】
以上のように、本実施形態によれば、位置推定部１１５は測位情報に基づいて行ったルートマッチングが失敗と判断された場合には、最後にルートマッチングに成功した時の推定位置から一定距離以内にある分岐点を検出し、検出された分岐点を基準としてマップマッチングを行うようにした。これにより、ユーザが案内経路から外れた方向へ進んだ可能性の高い地点を基準としてマップマッチングを行うことができるので、正確なマップマッチングを行うことができる。また、まず最後にルートマッチングに成功した時の推定位置から最も近い案内経路上の分岐点を検出し、検出された分岐点が、最後にルートマッチングに成功した時の推定位置から一定距離以内にある場合に、検出された分岐点を基準としてマップマッチングを行うことにより、正確なマップマッチングを効率よく行うことができる。
【００６７】
また、位置推定部１１５は、最後にルートマッチングに成功した時の推定位置から一定距離以内にある分岐点が検出されない場合には、最後にルートマッチングに成功した時の推定位置から所定の方向に所定の距離だけ進めた位置をマップマッチングによる推定位置として特定するようにしたので、分岐点を基準としてマップマッチングを行うことが適切か否かを判断し、正確なマップマッチングを行うことができる。
【００６８】
また、位置推定部１１５は、最後にルートマッチングに成功した時の推定位置から一定距離以内にあり、かつ、測位情報に含まれる移動方向との差分が一定角度以下の方角に案内経路から分岐している分岐点を選択するようにした。これにより、より適切な分岐点を選択し、正確なマップマッチングを行うことができる。
【００６９】
また、測位情報に含まれる移動方向の情報に基づいて、携帯端末１０が案内経路の進行方向とは異なる方向に進んだと判断された場合には、ルートマッチングが失敗したと判断するようにしたので、ユーザが曲がり角で間違った道の方に入ってしまった場合などに、案内経路を外れたことを判断することができる。
【００７０】
また、測位情報に含まれる緯度・経度情報が示す携帯端末１０の現在位置が案内経路上から外れており、携帯端末１０の現在位置と案内経路との最短距離が一定値以上の場合には、ルートマッチングが失敗したと判断するようにしたので、曲がり角があるか否かに関わらず案内経路を外れたことを判断することができる。
【００７１】
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【００７２】
また、上記の処理フローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００７３】
また、本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【符号の説明】
【００７４】
１０  携帯端末、１１  制御部、１２  通信部、１３  記憶部、１４  操作部、１５  表示部、１６  センサ、１７  スピーカ、１１０  データベース、１１１  経路案内部、１１２  信号測位部、１１３  自律航法測位部、１１４  測位情報取得部、１１５  位置推定部、１１６  表示制御部
【図１】
2018059814.tif 000003
【図２】
2018059814.tif 000004
【図３】
2018059814.tif 000005
【図４】
2018059814.tif 000006